(57)【要約】      （修正有）【課題】一般家庭の屋内での、炭火焼バーベキュー、カセットコンロによる鍋、ホットプレートによる料理等に対応可能な屋内用簡易組立排煙装置を提供する。【解決手段】支持部の自在アームスタンドは、電気スタンド等に使用される自在に可動できるアームスタンド構造を利用したものであり、下部をテーブル端部等にプラねじで固定し、先端は集煙部等を支持する。集煙部は、煙の拡散を防止し集煙効果を高めるため、直径約６０ｃｍ高さ約２０ｃｍの円錐形のステンレス等耐火性のある軽量な素材よりなり、その頂部を排煙管先端と供にアームスタンド先端にプラねじで固定し、バーベキューコンロの上部に支持し集煙効果を発揮する。排煙部は、長さや屈曲調整が可能な直径１０ｃｍの換気用フレキシブル管で、一方端は前記集煙部の円錐形頂部に接続され、もう一方端は直径約１５ｃｍの排煙換気扇にプラねじで接続される。【選択図】図１
0003188989.tif 000002
【実用新案登録請求の範囲】
【請求項１】
傘状の集煙部とその支持部であるアームスタンド及び排煙部からなる、組み立てが簡易であることを特徴とする屋内用簡易組立排煙装置。
【請求項２】
排煙管先端の排煙換気扇をキッチンのレンジフード下部へ設置し、両換気扇を連動することにより屋外へ排煙することを特徴とする屋内用簡易組立排煙装置。
【請求項３】
蛇腹排煙管は長さや角度調整が可能なため、任意の場所のレンジフードへも対応可能であることを特徴とする屋内用簡易組立排煙装置。
【考案の詳細な説明】
【技術分野】
【０００１】
本考案は、屋内バーベキュー等での煙、におい等を屋外へ排出する簡易組立排煙装置である。
【背景技術】
【０００２】
なし
【先行技術文献】
【特許文献】
【０００３】
【特許文献１】なし
【非特許文献】
【０００４】
【非特許文献１】なし
【考案の概要】
【考案が解決しようとする課題】
【０００５】
屋内での炭火でのバーベキュー等は、多量の煙の発生、細かい油の飛散、およびそれらに伴う室内の汚れやに匂いの染みつきにより、困難である。
【課題を解決するための手段】
【０００６】
傘状の集煙部からその上部に接続された排煙管及び管先端の排煙喚起扇による排煙部により排煙するものである。
集煙部は、バーベキューコンロの上部に配置されるため耐熱性の傘状で、集煙効果を高めるため、相似形の２重構造となっている。そして、集煙部の支持部は自在に可動できるアームスタンド構造である。
排煙部は、軽量で長さと屈曲の調整が可能な蛇腹状の排煙管とその先端に排煙換気扇が付いたものである。
排煙換気扇は、キッチンのレンジフード下部へ設置し、両換気扇を連動することにより煙等を屋外へ排煙するものである。
【考案の効果】
【０００７】
炭火でのバーベキュー等は、多量の煙や匂いが生じるため屋内での実施は困難であった。
しかし、本装置の使用により、屋内での炭火でのバーベキュー等が可能となる。
本装置の使用により、バーベキューは気温の高い時期に屋外で行うのが一般的であるが、冬季や降雨時での屋内バーベキューが可能となる。
【図面の簡単な説明】
【０００８】
【図１】集煙部は、バーベキューコンロ上部にセットされるため、耐熱性のある傘状の形状のものとし、集煙効果を高めるため、相似形の２重傘構造とする。集煙部の支持部は、自在に可動可能なアームスタンドとし、コンロとの位置等調整可能な構造とする。排煙部は、自在に屈曲可能な軽量蛇腹管を継ぎ足すことにより長さ調整可能な排煙管と、その先端に排煙換気扇が付いた構造とする。キッチンのレンジフード下にセットした排煙換気扇とレンジフードの換気扇を連動することにより、集煙部により集められた煙等を屋外へ排煙するものである。
【考案を実施するための形態】
【０００９】
簡易に組み立てることが可能とし、屋内のレンジフード換気扇を利用することで、一般家庭での利用を実現した。
【実施例】
【００１０】
一般家庭の屋内での、炭火焼バーベキュー、カセットコンロによる鍋、ホットプレートによる料理等に対応可能である。
【産業上の利用可能性】
【００１１】
非該当
【符号の説明】
【００１２】
非該当
【図１】
0003188989.tif 000003
【手続補正書】
【提出日】平成25年11月24日(2013.11.24)
【手続補正１】
【補正対象書類名】明細書
【補正対象項目名】全文
【補正方法】変更
【補正の内容】
【考案の詳細な説明】
【技術分野】
【０００１】 本考案は、屋内での炭火バーベキューの煙、におい等を屋外へ排出する屋内用簡易組立排煙装置に関するものである。
【背景技術】
【０００２】 従前は、住宅備え付きの専用排煙装置により屋外へ排煙していた。
【先行技術文献】
【特許文献】
【０００３】
【特許文献１】なし
【非特許文献】
【０００４】
【非特許文献１】なし
【考案の概要】
【考案が解決しようとする課題】
【０００５】屋内での炭火バーベキューは、多量の煙の発生、細かい油の飛散浮遊、およびそれらに伴う室内の汚れや匂いの染みつきにより、その実施は困難である。これら課題の解決策として、部屋の全窓を全開にする、または住宅を改造し壁等に穴を開け後付けの排煙装置を設置するなどが想定される。しかし、前者は冬季は寒く、また集煙しないため煙が室内に拡散浮遊し汚れや匂いの付着はやむを得ず、後者は排煙効果はあるが相当な改造費が必要と見込まれ、いずれも課題として残る。
【課題を解決するための手段】
【０００６】集煙部は、煙の拡散を防止し集煙効果を高めるため、直径約６０ｃｍ高さ約２０ｃｍの円錐形で、バーベキューコンロ上部に配置されるため、ステンレス等耐火性があり軽量な素材よりなる。集煙部の支持は、電気スタンド等に使用される自在に可動できるアームスタンド構造を利用したもので、その先端に集煙部頂部と供に排煙管をネジ固定し支持するものである。排煙部は、長さや屈曲調整が可能な直径１０ｃｍの換気用フレキシブル管で、一方端は前記集煙部頂部に接続されており、もう一方端は直径約１５ｃｍの排煙換気扇に接続されている。キッチンのレンジフード下部へ吊下げた同換気扇により、煙を集煙部より吸引しレンジフード下部へ導き出し、そこからレンジフード換気扇により屋外へ排煙するものである。集煙部頂部、排煙管の接続及び支持、アームスタンドの位置調整や固定、排煙換気扇と排煙管の接続は、直径約４ｃｍ程度のプラスティク素材等のネジ（以下「プラねじ」と称す）とし、組み立ては工具を必要とせず簡易に組み立てできるものとする。フレキシブル管は部屋の情況により、天井から紐で吊るすか、テーブル・イス等に這わせるかし、その先端の排煙換気扇はレンジフードの適切な位置へ吊下げ使用するものとする。
【考案の効果】
【０００７】屋内での炭火バーベキューは、多量の煙や匂いが生じるため、その実施は困難であった。しかし、本装置はプラねじで簡易に組み立てができ、煙等を住宅備え付けのキッチンのレンジフード換気扇を利用し屋外へ排出するため、住宅の改造や部屋の窓を全開にすることなくもなく、屋内での炭火バーベキューが可能となる。このため、本装置の使用により、炭火バーベキューは夏季に屋外で行うのが一般的であるが、冬季や降雨時での屋内での炭火バーベキューが可能となる。
【図面の簡単な説明】
【０００８】
【図１】支持部の自在アームスタンドは、電気スタンド等に使用される自在に可動できるアームスタンド構造を利用したものであり、下部をテーブル端部等にプラねじで固定し、先端は集煙部等を支持するものである。集煙部は、煙の拡散を防止し集煙効果を高めるため、直径約６０ｃｍ高さ約２０ｃｍの円錐形のステンレス等耐火性のある軽量な素材よりなり、その頂部を排煙管先端と供にアームスタンド先端にプラねじで固定し、バーベキューコンロの上部に支持し集煙効果を発揮するものである。排煙部は、長さや屈曲調整が可能な直径１０ｃｍの換気用フレキシブル管で、一方端は前記集煙部の円錐形頂部に接続されており、もう一方端は直径約１５ｃｍの排煙換気扇にプラねじで接続されている。キッチンのレンジフード下部へ吊下げた同換気扇により、煙を集煙部より吸引しレンジフード下部へ導き出し、そこからレンジフード換気扇により屋外へ排煙するものである。集煙部頂部、排煙管の接続及び支持、アームスタンドの位置調整や固定、排煙換気扇と排煙管の接続は、直径約４ｃｍ程度のプラねじとし、組み立ては工具を必要とせず簡易に組み立てできるものとする。フレキシブル管は部屋の情況により、天井から紐等で吊るすか、テーブル・イス等に這わせるかし、その先端の排煙換気扇はレンジフードの適切な位置へ吊下げ使用するものとする。
【図２】円錐形の集煙部頂部は、高さ１０ｃｍで直径が集煙管より微小に小さい約１０ｃｍの円柱形であり、その外周に直径約１０ｃｍの排煙管を差し込み、両者供に接続金具によりアームスタンド支持部材にプラねじで固定し使用するものとする。なお、集煙部の落下防止のため、集煙管頂部と接続金具は凹凸の噛み合わせ構造としている。
【図３】排煙換気扇は、羽根が直径約１５ｍで、集煙部より吸引できる羽根形状である。同換気扇の背面は、直径が集煙管より微小に小さい約１０ｃｍの円柱形の排煙管接続部があり、その外周に直径約１０ｃｍの排煙管を差し込み、両者を接続金具によりプラねじで固定する。同換気扇には、直径約５ｍｍの鋼棒による吊金具が左右２か所付いており、同鋼棒は約２ｃｍ四方の断面を有する硬性の吊下げゴムの下端で適度な摩擦を有し貫通している。同ゴムの上端は吊下げ金具が付いており、レンジフードの縁への吊下げが可能な構造としている。鋼棒がゴム断面を貫通しているのは、その鋼棒上で同換気扇を前後に位置調整を可能とするものであり、また吊下ゴムの使用は換気扇の振動騒音を抑制するためである。
【考案を実施するための形態】
【０００９】簡易に組み立てできることを可能とし、屋内のキッチンのレンジフード換気扇を利用することで、一般家庭での利用を実現した。
【実施例】
【００１０】一般家庭の屋内での、炭火バーベキュー、ホットプレート、カセットコンロによる料理に対応可能である。
【産業上の利用可能性】
【００１１】非該当
【符号の説明】
【００１２】非該当
【手続補正２】
【補正対象書類名】実用新案登録請求の範囲
【補正対象項目名】全文
【補正方法】変更
【補正の内容】
【実用新案登録請求の範囲】
【請求項１】
屋内バーベキューにおける排煙装置において、直径約６０ｃｍ高さ約２０ｃｍの円錐形でステンレス等の耐火性がある軽量な素材からなる集煙部の頂部と排煙管の接続・固定、またこれらをバーベキューコンロ上部で支持するアームスタンド下部の机等への固定、及びアームスタンド先端と集煙部頂部の接続・固定をプラスチックねじでできる構造を特徴とする屋内用簡易組立排煙装置。
【請求項２】
前記排煙管は、長さや屈曲調整が可能な直径約１０ｃｍの換気用フレキシブル管で、その先端の直径約１５ｃｍの排煙換気扇を、キッチンのレンジフー下部へ吊下げた構造を特徴とする請求項１記載の屋内用簡易組立排煙装置。
【手続補正３】
【補正対象書類名】図面
【補正対象項目名】全図
【補正方法】変更
【補正の内容】
【図１】
0003188989.tif 000004
【図２】
0003188989.tif 000005
【図３】
0003188989.tif 000006